(57)【要約】【課題】本願発明の課題は、半導体ヒーター表面に発生する熱を効率よく伝搬して床面を所望温度まで上昇させるとともに、床面からの繰り返し荷重による半導体ヒーターの損傷や破断を防ぎ、かつ火災を起こす恐れがなく、そのうえ温度調節を可能とし、冷房機能も併せ持つ冷暖房装置及び冷暖房暖房パネルを提供することにある。【解決手段】本願発明の冷暖房装置は、半導体ヒーターを用いた冷暖房装置において、線状半導体ヒーターと、外部収容管と、金属製の流通管と、を備え、前記外部収容管の片側又は両側に前記流通管が隣接配置され、前記線状半導体ヒーターは外部収容管内に配置され、前記流通管内に液体を流通させることが可能なものである。【選択図】図１
2011179738.tif 000002
【特許請求の範囲】
【請求項１】
半導体ヒーターを用いた冷暖房装置において、
線状半導体ヒーターと、外部収容管と、金属製の流通管と、を備え、
前記外部収容管の片側又は両側に前記流通管が隣接配置され、前記線状半導体ヒーターは外部収容管内に配置され、
前記流通管内に液体を流通可能であることを特徴とする冷暖房装置。
【請求項２】
請求項１記載の冷暖房装置において、
外部収容管内に２本以上の内部収容管が配置され、ぞれぞれの内部収容管内に線状半導体ヒーターが配置されたことを特徴とする冷暖房装置。
【請求項３】
半導体ヒーターを用いた冷暖房パネルにおいて、
線状半導体ヒーターと、外部収容管と、金属製の流通管と、を備え、
パネル内に、外部収容管が配置されるとともに、この外部収容管の片側又は両側に前記流通管が隣接配置され、前記線状半導体ヒーターは外部収容管内に配置され、
前記流通管内に液体を流通可能であることを特徴とする冷暖房パネル。
【請求項４】
請求項３記載の冷暖房パネルにおいて、
外部収容管内に２本以上の内部収容管が配置され、ぞれぞれの内部収容管内に線状半導体ヒーターが配置されたことを特徴とする冷暖房パネル。
【請求項５】
請求項３又は請求項４記載の冷暖房パネルにおいて、
一条の線状半導体ヒーターが、パネル内に配置されるとともに、
前記線状半導体ヒーターの一端には外部電源と接続可能な電源接続部が設けられ、
前記線状半導体ヒーターの他端には終端部が設けられ、
一の冷暖房パネルを単独で使用可能であることを特徴とする冷暖房パネル。
【請求項６】
請求項３乃至請求項５のいずれかに記載の冷暖房パネルにおいて、
一条の線状半導体ヒーターが、パネル内に配置されるとともに、
前記線状半導体ヒーターの一端には、外部電源と接続可能な電源接続部、又は他の冷暖房パネルの線状半導体ヒーターの端部と接続可能な半導体ヒーター接続部が設けられ、
前記線状半導体ヒーターの他端には、他の冷暖房パネルの線状半導体ヒーターの端部と接続可能な半導体ヒーター接続部、又は終端部が設けられ、
一の電源に対して複数の冷暖房パネルを接続配置して使用することを特徴とする冷暖房パネル。
【請求項７】
請求項３乃至請求項６のいずれかに記載の冷暖房パネルにおいて、
パネル表面にパネル内部側に凹陥する収容部が溝状に設けられ、この収容部に外部収容管が収容され、
前記外部収容管を収容した収容部の表面側が、帯状の薄肉材で封鎖されたことを特徴とする冷暖房パネル。
【請求項８】
請求項３乃至請求項７のいずれかに記載の冷暖房パネルにおいて、
パネル表面に、遠赤外線塗布材が塗布されたことを特徴とする冷暖房パネル。
【請求項９】
請求項３乃至請求項８のいずれかに記載の冷暖房パネルにおいて、
パネルが、発泡セラミック板であることを特徴とする冷暖房パネル。
【発明の詳細な説明】
【技術分野】
【０００１】
本願発明は、冷暖房装置に関するものであり、より具体的には半導体ヒーターを用いた冷暖房装置と冷暖房パネルに関するものである。
【背景技術】
【０００２】
半導体ヒーターは、ＰＴＣ（Ｐｏｓｉｔｉｖｅ  Ｔｅｍｐｅｒａｔｕｒｅ  Ｃｏｅｆｆｉｃｉｅｎｔ）と呼ばれる正の温度特性をもつサーミスタを備えたものであり、通電すると温度上昇するが、それと同時に電流を通しにくくするため所定温度を超えて上昇することがないという特徴を有し、自己温度制御ヒーターとも呼ばれている。半導体ヒーターは、少ない消費電力で一定の温度を保つものであり、エネルギーの有効活用を重視する昨今では、最も注目されているヒーターのひとつである。
【０００３】
従来、例えば床下に暖房パネルを敷設した床暖房を行う場合、暖房パネル内に設けた通水管に適温の温水を流通させることで暖気を与えるという手法を採ることが多かった。しかしながら、この従来手法では、水を温水にするための加熱設備や、水を循環させる圧力装置など設備に掛かる初期費用に加え、燃料などの運転費、あるいは維持費など多くの費用が掛かり、消費者にとっては比較的高価な暖房方式とされていた。
【０００４】
そこで昨今では、パネル内に半導体ヒーターを備える暖房装置、特に暖房パネルが提案されるようになり、例えば特許文献１では半導体ヒーターを用いたパネルヒーターを提案している。この特許文献１のパネルヒーターは、従来の温水を流通させる通水管に代えて半導体ヒーターを用いるものであり、例えばフローリングの下に敷設して電源に接続するだけで利用できるため、初期費用の削減に加え運転費や維持費も縮小することができる。また、半導体ヒーターは自己温度制御機能を備えているので、必要以上に温度上昇することがなく床暖房には好適な暖房設備である。
【先行技術文献】
【特許文献】
【０００５】
【特許文献１】実用新案登録第３１５６６５５号公報
【発明の概要】
【発明が解決しようとする課題】
【０００６】
しかしながら、特許文献１のパネルヒーターを含め、従来の半導体ヒーターを備えた暖房装置は種々の問題を抱えていた。半導体ヒーターは、その表面では十分に高温となるものの、この表面温度を床面に伝搬する間に放熱されてしまい、床面では所望の温度とならないという問題が生じていた。この問題を解消すべく床面に接触するように半導体ヒーターを配置すると、今度は、半導体ヒーターの主な構成材であるポリマー強度が脆弱であることから、床下で繰り返し荷重を受けることにより半導体ヒーターが損傷し、あるいは圧壊するおそれがあるという問題が生じ、その上、半導体ヒーターが周辺の床材を集中的に加熱してしまうことから火災のおそれがあるという問題を生じることになる。
【０００７】
半導体ヒーターの損傷や破断を防ぎ、あるいは火災を起こさないように、半導体ヒーターを金属管内に収容して床暖房設備に利用することも提案されているが、後に説明するようにパイプ内に半導体ヒーターを挿入しただけの単管形式では、半導体ヒーターから放出された熱が十分広く伝搬されず、その結果所望の暖房効果が得られないという問題を生じる。
【０００８】
また、半導体ヒーターはその温度特性から一定の温度を保つことが可能であるが、一方で、例えばもう少し暖かくあるいはもう少し低温にしたいという利用者の要望に応じた温度調整が困難であるという一面も持っていた。
【０００９】
さらに、従来の通水管に適温の温水を流通させることで暖気を与えるという暖房方式であれば、夏場は冷水を流通させることで冷房装置としても利用することができたが、特許文献１のパネルヒーターには冷却させる機能がないので冷房装置としては利用できず、別途冷房装置を設置する必要があった。
【００１０】
その他、特許文献１のパネルヒーターは施工上の問題も抱えていた。本来、暖房パネルは現場での施工手間を簡略化させるためにパネル化されたものであるが、特許文献１のパネルヒーターは、必要数のブリッジ架体５００を根太に順次セットし、その後に半導体ヒーター６０３を敷設するものであって、現場での作業簡略化が十分達成されていなかった。
【００１１】
本願発明の課題は、半導体ヒーター表面に発生する熱を効率よく伝搬して床面を所望温度まで上昇させるとともに、床面からの繰り返し荷重による半導体ヒーターの損傷や破断を防ぎ、かつ火災を起こす恐れがなく、そのうえ温度調節を可能とし、冷房機能も併せ持つ冷暖房装置及び冷暖房暖房パネルを提供し、現場における設置作業が容易かつ短時間となる冷暖房パネルを提供することにある。
【課題を解決するための手段】
【００１２】
本願発明の冷暖房装置は、半導体ヒーターを用いた冷暖房装置において、線状半導体ヒーターと、外部収容管と、金属製の流通管と、を備え、前記外部収容管の片側又は両側に前記流通管が隣接配置され、前記線状半導体ヒーターは外部収容管内に配置され、前記流通管内に液体を流通させることが可能なものである。この場合、外部収容管内に２本以上の内部収容管が配置され、ぞれぞれの内部収容管内に線状半導体ヒーターが配置された冷暖房装置とすることもできる。
【００１３】
本願発明の冷暖房パネルは、半導体ヒーターを用いた冷暖房パネルにおいて、線状半導体ヒーターと、外部収容管と、金属製の流通管と、を備え、パネル内に、外部収容管が配置されるとともに、この外部収容管の片側又は両側に前記流通管が隣接配置され、前記線状半導体ヒーターは外部収容管内に配置され、前記流通管内に液体を流通させることが可能なものである。この場合、外部収容管内に２本以上の内部収容管が配置され、ぞれぞれの内部収容管内に線状半導体ヒーターが配置された冷暖房パネルとすることもできる。
【００１４】
本願発明の冷暖房パネルは、一条の線状半導体ヒーターが、パネル内に配置されるとともに、  前記線状半導体ヒーターの一端には外部電源と接続可能な電源接続部が設けられ、前記線状半導体ヒーターの他端には終端部が設けられ、一の冷暖房パネルを単独で使用可能なものとすることもできる。また、一条の線状半導体ヒーターが、パネル内に配置されるとともに、前記線状半導体ヒーターの一端には、外部電源と接続可能な電源接続部、又は他の冷暖房パネルの線状半導体ヒーターの端部と接続可能な半導体ヒーター接続部が設けられ、前記線状半導体ヒーターの他端には、他の冷暖房パネルの線状半導体ヒーターの端部と接続可能な半導体ヒーター接続部、又は終端部が設けられ、一の電源に対して複数の冷暖房パネルを接続配置して使用するものとすることもできる。
【００１５】
本願発明の冷暖房パネルは、パネル表面にパネル内部側に凹陥する収容部が溝状に設けられ、この収容部に外部収容管が収容され、前記外部収容管を収容した収容部の表面側が、帯状の薄肉材で封鎖されたものとすることもできる。また、パネル表面に、遠赤外線塗布材が塗布されたものとすることもできるし、パネルが、発泡セラミック板であるものとすることもできる。
【発明の効果】
【００１６】
本願発明の冷暖房装置には次のような効果がある。
（１）半導体ヒーターを収容する外部収容管の隣に金属製の流通管を設置するので、半導体ヒーターから放出される熱が一旦外部収容管内で蓄熱されるとともに、流通管が効率よく熱を伝達する機能を果たすため、半導体ヒーターの熱が大きく失われることなく効率よく対象物の温度を上昇させることができる。
（２）流通管を設置するので、これに適宜所定温度の液体を流通することによって、暖房温度を調整することができる。
（３）また流通管を設置するので、夏季は流通管に冷水を流通することによって冷房設備としても利用できる。
（４）半導体ヒーターが外部収容管で保護されているので、不測の荷重が作用しても半導体ヒーターが損傷等するおそれがないし、火災になる心配がない。
【００１７】
本願発明の冷暖房パネルには上記（１）〜（４）に加え、次のような効果もある。
（５）予めパネル内に半導体ヒーターを内挿する外部収容管等を収納しておくと、現場では暖房パネルの敷設作業だけで済むので、現場における設置作業が容易かつ短時間となる。
【図面の簡単な説明】
【００１８】
【図１】実施形態１における暖房パネルを示す平面図。
【図２】（ａ）は幅が短い暖房パネルを示す平面図。（ｂ）は正方形の暖房パネルを示す平面図。
【図３】（ａ）はヒーター管と通水管を隣接配置した斜視図。（ｂ）はヒーター管と通水管を断熱材内に埋設した場合の暖房パネルの断面図。（ｃ）はその要部詳細断面図。
【図４】（ａ）はヒーター管と通水管を収容部内に収めた場合の暖房パネルの断面図。（ｂ）はその要部詳細断面図。
【図５】（ａ）はヒーター管の一方側に通水管を１本だけ隣接配置した場合の暖房パネルの要部詳細断面図。（ｂ）はヒーター管の一方側に通水管を１本配置して他方側に２本配置した場合の暖房パネルの要部詳細断面図。（ｃ）は複数のヒーター管と通水管を交互に配置した場合の暖房パネルの要部詳細断面図。
【図６】（ａ）はパネルを発泡セラミック板とした場合の暖房パネルの断面図。（ｂ）はその要部詳細断面図。
【図７】パネル内にある半導体ヒーターのうち曲折部で外部収容管を省略して半導体ヒーターのみを連続させた場合の暖房パネルを示す平面図。
【図８】（ａ）は一条の半導体ヒーターの両端ともに半導体ヒーター接続部を設けた場合の暖房パネルを示す平面図。（ｂ）は一条の半導体ヒーターの一端に半導体ヒーター接続部を、他端に電源接続部を設けた場合の暖房パネルを示す平面図。（ｃ）は一条の半導体ヒーターの一端に半導体ヒーター接続部を、他端に終端部を設けた場合の暖房パネルを示す平面図。
【図９】複数の暖房パネルを組み合わせて配置した一例を示す平面図。
【図１０】複数の暖房パネルを組み合わせて配置した他例を示す平面図。
【図１１】（ａ）は、ヒーター管と通水管による熱伝搬効率の検証実験における第一のケースで、中空のアルミ管を隣接配置させることなく、アルミ管内に半導体ヒーター３を内挿した場合を示す説明図。（ｂ）は、ヒーター管と通水管による熱伝搬効率の検証実験における第二のケースで、アルミ管内に半導体ヒーター３を内挿し、その両側に中空のアルミ管を隣接配置させた場合を示す説明図。
【図１２】実施形態２におけるヒーター管の内部を示す斜視図。
【図１３】（ａ）は実施形態２におけるヒーター管の断面図。（ｂ）は熱伝導材が充填された場合の本実施形態２におけるヒーター管の断面図。（ｃ）は保持具が取り付けられた場合の実施形態２におけるヒーター管の断面図。
【図１４】実施形態２における暖房パネルを示す平面図。
【図１５】（ａ）はヒーター管と通水管を収容部内に収めた場合の実施形態２における暖房パネルの断面図。（ｂ）はその腰部詳細断面図。
【図１６】（ａ）は１本の半導体ヒーターが外部収容管に直接収容されたケースを示す断面図。（ｂ）は１本の半導体ヒーターが内部収容管に挿入され、これが外部収容周管に収容されたケースを示す断面図。（ｃ）は１本の半導体ヒーターが内部収容管に挿入され、これが外部収容周管に収容され、さらに外部収容周管の空隙部分に熱伝導材が充填されたケースを示す断面図。（ｄ）は外部収容周管に、半導体ヒーターが内挿された内部収容管が２本収容されたケースを示す断面図。（ｅ）は外部収容周管に、半導体ヒーターが内挿された内部収容管が２本収容され、さらに外部収容周管の空隙部分に熱伝導材が充填されたケースを示す断面図。（ｆ）は外部収容周管に、半導体ヒーターが内挿された内部収容管が３本収容され、さらに外部収容周管の空隙部分に熱伝導材が充填されたケースを示す断面図。
【発明を実施するための形態】
【００１９】
（実施形態１）
本願発明の冷暖房装置の第１の実施形態について、冷暖房パネルを例として説明する。図１は、冷暖房パネル１を示す平面図である。冷暖房パネル１はパネル２の内部に半導体ヒーター３を配置したものであり、例えばフローリングなどの床材の下に配置されて、対象物である床面を暖める冷暖房装置である。
【００２０】
図１に示すように半導体ヒーター３は、パネル２全体を暖めることができるように、パネル２内を往復するように蛇行配置されている。図１のパネル２は、長手方向の寸法（以下、「長さ」という。）が１７００ｍｍで、短手方向（以下、「幅」という。）が８５０ｍｍのサイズであり、この場合長手方向に４列並ぶように（つまり２往復するように）配置することができる。もちろん、同じサイズのパネル２であっても、これより密（例えば６列、３往復）に配置することもできるし、これより疎（例えば２列、１往復）に配置することもできる。また、パネル２のサイズや形状も図１のものに限らず、長さ９００ｍｍ×幅３００ｍｍのパネル２や、図２（ａ）に示すように幅が短いパネル２、図２（ｂ）に示すように幅と長さが略等しい正方形のパネル２など、種々のサイズや形状のものをパネル２として選択することが可能で、いずれの場合も、パネル２全体を暖めることができるように半導体ヒーター３を配置することが望ましい。
【００２１】
半導体ヒーター３は、断面が円形であり、断面の径に対してその長さが極端に長い、いわゆる線状（ロープ状、ひも状）の形状となっている。また半導体ヒーター３は、導線と発熱体から構成されており、導線には銅線をはじめ、銀線、金線、アルミ線、白金線、合金線、各種メッキ線など、導電性に富む材質のものが用いられる。
【００２２】
発熱体は、ＰＴＣ特性を備えたポリマーと導電性のあるカーボンから構成されており、このポリマーには絶縁性の架橋性ポリマーが通常用いられ、導電性カーボンにはカーボンブラックが用いられている。ポリマーと導電性カーボンからなる発熱体と導線の外周を被覆層で覆い、半導体ヒーター３は形成されている。この被覆層の材質としては、テフロン（登録商標）及びゴムの合成材、テフロン（登録商標）及びシリコンの合成材、その他シリコン材が利用されている。なお、半導体ヒーター３は、市販されているものを用いることができる。
【００２３】
半導体ヒーター３の導線に通電すると、導電性カーボンを通じて発熱体内にも電気が流れ、このときＰＴＣ特性を備えたポリマーは温度上昇を始める。ポリマーは、温度上昇とともに膨張を始め導電性カーボンの通電面積を圧迫していき、最終的には導電性カーボンは通電できない状態となり、これ以上ポリマーは温度上昇しなくなる。ポリマーの温度が下降すると、ポリマーが収縮し導電性カーボンの通電面積が回復されるため、再びポリマーは温度上昇する。このように、半導体ヒーター３は特別な制御を必要とせず、一定の温度を保ち続けることができるという特性を備え、自己温度制御ヒーターと呼ばれる所以でもある。
【００２４】
この維持される一定温度、換言すれば半導体ヒーター３の最高到達温度は、半導体ヒーター３の規格によって定められ、例えば市販されている半導体ヒーター３のうち２０Ｗ／ｍのものは５５℃、３０Ｗ／ｍでは７０℃、４０Ｗ／ｍでは９０℃、５０Ｗ／ｍでは１３０℃である。
【００２５】
パネル２は、その外形を構成する筺体２ａと天板２ｂ、筺体２ａ内部を構成する断熱材２ｃで形成されている。筺体２ａは上面が開放された中空箱型の形状であり、半導体ヒーター３からの熱を放出しないように断熱材で形成されることが望ましい。一方、天板２ｂは暖房対象（例えば床面）に最も近づく面であり、効率的に半導体ヒーター３からの熱を伝達するために熱伝導率の高い材質を使うことが好ましく、たとえばアルミ板とするのが好適である。さらに、天板２ｂの表面に、遠赤外線塗布材（例えば遠赤外線放射パウダー）を塗布すると、より暖房効果が高まるため好適である。
【００２６】
図３（ａ）の斜視図や図３（ｂ）の断面図に示すように、パネル２内にはヒーター管４と通水管５が並べて配置されている。このヒーター管４は、図３（ｃ）の詳細図に示すように外部収容管６の中に半導体ヒーター３が内挿されたもので、通水管５は内部に水などの液体を流通（通水）させることができるように中空となっている。
【００２７】
半導体ヒーター３を内挿する外部収容管６は、金属製とするなど熱伝導率の高い材質を使うことが好ましく、たとえばアルミ製の管が好適である。外部収容管６は半導体ヒーター３を収容できる内空面積が必要であり、例えば半導体ヒーター３の外径が８ｍｍの場合、内部収容管１２の内径は１０ｍｍ程度が必要である。図３（ｃ）では、外部収容管６に１本の半導体ヒーター３を挿入しているが、これに限らず内径の大きい外部収容管６の中に２本以上の半導体ヒーター３を挿入することもできる。
【００２８】
外部収容管６内に半導体ヒーター３を内挿したヒーター管４に、通水管５を隣接して配置すると、後に説明するようにヒーター管４から冷暖房パネル１表面（天板２ｂ側）への熱の伝搬効率が飛躍的に向上する。また、通水管５を熱伝導率の高い金属製、特にアルミ製の管とすると、ヒーター管４からの熱の伝搬効率の向上がより顕著となり好適である。また、この通水管５は中空であって、水などの液体を流通（通水）させることができるため、暖房時には温水を通水して冷暖房パネル１の暖房補助として機能することも可能であり、さらに夏季など冷房を必要とする場合には、通水管５内に冷水を循環させることによって冷暖房パネル１を冷房設備として利用することもできる。なお、通水管５内には液体に限らず低温（又は高温）のガスを送りこむこともできる。
【００２９】
一例として、冷暖房パネル１を暖房装置として利用する場合はヒーター管４内の半導体ヒーター３によって加温しつつ、所望温度の水を通水管５に流通させることで半導体ヒーター３の最高到達温度をさらに上昇又は下降させて温度調整を行い、冷暖房パネル１を冷房装置として利用する場合には半導体ヒーター３に通電せず、通水管５に低温の水を流通させて冷気を与えるものとする。この場合、通水管５に液体を流通させる手段はポンプ等従来からの圧送技術を用いることが可能で、流通させる液体の温度調節も従来の技術を用いることができる。もちろん、暖房装置として利用する場合は、通水管５に液体を流通させずにヒーター管４内の半導体ヒーター３のみによって加温させるものとすることもできる。
【００３０】
図３（ｂ）に示すように、ヒーター管４と通水管５を天板２ｂ付近に配置して断熱材２ｃ内に埋設することもできるが、図４（ａ）に示すように天板２ｂに設けられた溝状の収容部７内に収めることもできる。この収容部７は、パネル２の表面側から内部側へ天板２ｂを凹陥させて形成されるものであり、図１に示すように半導体ヒーター３がパネル２内を往復するように蛇行配置される場合、収容部７もこれに合わせて蛇行して形成される。また、ヒーター管４と通水管５を収容部７内に収める場合、図４（ｂ）に示すように収容部７の開放部（パネル２の表面側）をシール材８で封鎖する。このシール材８は、平面視では帯状、断面視では薄肉状であり、熱伝導率の高い材質、例えばアルミ製のテープとすると好適である。
【００３１】
図３（ｂ）や図４（ａ）では、ヒーター管４の両脇に通水管５を１本ずつ隣接配置しているが、これに限らずヒーター管４の一方側に通水管５を１本だけ隣接配置したり（図５（ａ））、ヒーター管４の一方側に通水管５を１本配置して他方側に２本配置したり（図５（ｂ））、複数のヒーター管４と通水管５を交互に配置する（図５（ｃ））など、種々の配置を選択することができる。なおここでいう隣接配置とは、ヒーター管４と通水管５が接触して並べて配置される場合や、ヒーター管４と通水管５の間に若干の隙間を設けて並べて配置される場合を含む概念である。
【００３２】
筺体２ａの内部は、空洞のままとすることもできるが、半導体ヒーター３からの熱が必要以上に失われないよう断熱材２ｃで充填することが望ましい。この断熱材２ｃには、硬質ウレタンを利用するなど、従来から用いられている材料を利用することができる。
【００３３】
また、パネル２を構成する筺体２ａと断熱材２ｃの組み合わせに代えて、パネル２を発泡セラミック板とすることができる。この発泡セラミック板は、多数の連続貫通気孔が設けられたいわゆる多孔質セラミック板であり、有機の発泡剤を混入したセラミックを焼成して製造するもので、軽量であって不燃であるという特長を有する。また、内部に多数の連続貫通気孔が設けられているため断熱保温性に優れており、発泡セラミック板をパネル２として利用すると、半導体ヒーター３からの熱が効率的に床面などの暖房対象物に伝達される。なお、この場合でもアルミ板などの天板２ｂを設置して表面に遠赤外線塗布材を塗布することもできるし、発泡セラミック板に溝状の収容部７を設けてこの中にヒーター管４と通水管５を配置してシール材８で封鎖することもできる。
【００３４】
冷暖房パネル１の製作は、筺体２ａ内の所定位置にヒーター管４と通水管５を配置し、筺体２ａ内の空隙部に断熱材２ｃを充填し、筺体２ａの上面に天板２ｂを固定して行われる。なお、筺体２ａの上面に天板２ｂを固定した後に、筺体２ａ（又は天板２ｂ）に設けられた充填口から断熱材２ｃを充填して冷暖房パネル１を製作してもよい。
【００３５】
前記のとおり、半導体ヒーター３はパネル２内を往復するように蛇行配置されるため、半導体ヒーター３を内挿する外部収容管６もこれにあわせて蛇行配置される。図１に示すように、パネル２内にある半導体ヒーター３全長にわたって外部収容管６を配置することもできるが、図７に示すように曲折部では外部収容管６を省略して半導体ヒーター３のみを連続させることもできる。外部収容管６の曲折部加工は半導体ヒーター３に比べて手間がかかるため、曲折部で外部収容管６を省略すると、部分的に暖房効果は劣るもののコストの軽減には寄与することができる。
【００３６】
図１に示すように、一条の半導体ヒーター３をパネル２内に蛇行配置させて、半導体ヒーターの一端（図では右橋）に電源接続部９を設け、他端（図では左側）に終端部１０を設けることができる。電源接続部９が設けられた一端では、半導体ヒーター３がパネル２から外部へ突出しており、終端部１０が設けられた他端では半導体ヒーター３はパネル２内に収められている。
【００３７】
また、図８（ａ）〜（ｃ）に示すように、パネル２内に蛇行配置された一条の半導体ヒーター３の両端ともに、パネル２の端部（端面）まで伸ばし、これら両端にそれぞれ半導体ヒーター接続部１１を設けた冷暖房パネル１ａとすることもできる。この半導体ヒーター接続部１１は相互に接続可能で、例えば第一の冷暖房パネル１の半導体ヒーター接続部１１と、第二の冷暖房パネル１の半導体ヒーター接続部１１を接続すると、第一の冷暖房パネル１の半導体ヒーター３と、第二の冷暖房パネル１の半導体ヒーター３は電気的に接続され通電が可能となる。この電気的な接続には、従来から用いられている結線技術を利用することができる。なおこの場合、半導体ヒーター３の一端を半導体ヒーター接続部１１に代えて電源接続部９あるいは終端部１０を設けることとし、一条の半導体ヒーター３の一端が半導体ヒーター接続部１１で他端が電源接続部９の冷暖房パネル１ｂ、あるいは一条の半導体ヒーター３の一端が半導体ヒーター接続部１１で他端が終端部１０の冷暖房パネル１ｃとすることもできる。
【００３８】
図９は、冷暖房パネル１ａ、冷暖房パネル１ｂ、及び冷暖房パネル１ｃを組み合わせて配置した例を示す平面図である。比較的広い面積に配置する場合には、複数の冷暖房パネル１を組み合わせて配置する場合があり、冷暖房パネル１ａ、冷暖房パネル１ｂ、及び冷暖房パネル１ｃを組み合わせて配置すれば、一の電源に接続するだけで複数の冷暖房パネル１に対して通電することができるので、消費電力量が軽減できてコストの軽減とともに環境保全への寄与となって好適である。
【００３９】
複数の冷暖房パネル１の組み合わせる場合は、図９に限らず、図１０のように隣接する２枚の冷暖房パネル１（図では上下に隣接する冷暖房パネル１）を電気的に接続するなど、配置する床面積や形状に合わせて種々選択することができる。
【００４０】
（ヒーター管と通水管による熱伝搬効率の検証）
本願発明の発明者は、半導体ヒーター３を金属製管内に収容し中空の金属管（アルミ管）を隣接させると熱伝搬効率が向上するという仮説を立て、半導体ヒーター３を外部収容管６内に収容したケース（ケース１）と、半導体ヒーター３を外部収容管６内に収容し通水管５を隣接配置したケース（ケース２）について比較実験を行った。その結果、冷暖房パネル１表面（天板２ａ）における温度上昇範囲をみると、ケース２の方がケース１よりも広い範囲まで温度上昇していることが判明し、中空のアルミ管を隣接配置すると熱伝搬効果が飛躍的に高まるという事実を突き止めた。以下、その実証実験について図１１（ａ）（ｂ）を用いて説明する。
【００４１】
実験には以下の材料を用いた。
・半導体ヒーター３：４０Ｗ／ｍ、外径８ｍｍ、最高到達温度９０℃（表面温度）
・外部収容管６：アルミ製、内径は１０ｍｍ（外径１２ｍｍ）
・天板２ａ：ガルバニウム製
【００４２】
図１１（ａ）は、中空のアルミ管を隣接配置させることなく、アルミ管内に半導体ヒーター３を内挿したケースである。これをケース１とする。
図１１（ｂ）は、アルミ管内に半導体ヒーター３を内挿し、その両側に中空のアルミ管を隣接配置させたケースである。これをケース２とする。
【００４３】
常温の実験室内で、上記２ケースについて半導体ヒーター３に１００Ｖを印加した。通電後、半導体ヒーター３の表面温度は９０℃になるが、これが如何に天板２ａに熱伝播されるかを調べるため、天板２ａの表面温度の２か所で温度計測を実施した。第一の計測箇所は図１１（ａ）（ｂ）のＰ１で示す半導体ヒーター３の直上で、第二の計測箇所は図１１（ａ）（ｂ）のＰ２で示す半導体ヒーター３の直上からＬ＝１５ｃｍ離れた位置である。以下、表１に結果を示す。
【００４４】
【表１】
2011179738.tif 000003
【００４５】
ケース１の結果をみると、天板２ａ表面におけるＰ１地点での温度が５０℃程度に達したにもかかわらず、そこから１５ｃｍ離れた位置では２２．８℃まで温度が低下し、大きく熱が失われている。
【００４６】
一方、ケース２の結果をみると、Ｐ１地点では５０℃程度でケース１と相違ないが、Ｐ２地点では、中空のアルミ管を両側に隣接配置しただけであるにもかかわらず、ケース１の２２．８℃に比べ１０℃以上も高い３３．３℃であった。
【００４７】
以上、中空のアルミ管を隣接配置すると熱伝搬効果が高まるという結果が得られ、すなわち暖房設備としての機能を向上させるためには、半導体ヒーター３が内挿された外部収容管６に中空の金属製管（通水管５）を隣接配置することが重要な技術要素であることが証明された。
【００４８】
以上、冷暖房装置の実施形態について冷暖房パネル１を例として説明したが、パネル形式に限らず、半導体ヒーター３を外部収容管６内に収容したヒーター管４と、通水管５を隣接配置した冷暖房装置として利用することもできる。つまりこの場合には、パネル２は必要としない。
【００４９】
例えば、フローリングの下にヒーター管４と通水管５を隣接配置し床の冷暖房装置として利用したり、道路の舗装面の下にヒーター管４と通水管５を隣接配置してロードヒーティング用の冷暖房装置としたり、積雪する場所（例えば屋根）にヒーター管４と通水管５を隣接配置して融雪用の冷暖房装置とすることができる。またヒーター管４と通水管５を隣接配置した冷暖房装置は、野菜や花卉の栽培、あるいは苗床などのためのハウス温室、果樹園、植物園などの温度調整用として利用したり、牛舎や豚舎や鶏舎といった家畜の飼育施設における温度調整用として利用したり、養魚場やプールや温浴施設などの温度調整用として利用することもできる。なお、本願発明の冷暖房装置でコンクリート構造物を暖めることが、この構造物の構築前にあらかじめわかっている場合には、竹炭粉末、遠赤外線放射天然石粉末、トルマリン粉末といった熱伝搬に効果があると知られるものを混入したコンクリートを打設することも有効である。
【００５０】
以上、冷暖房の対象となる場所に直接、ヒーター管４と通水管５を隣接配置することによって、本願発明の冷暖房装置が設けられる。この場合、冷暖房パネル１のような設置における容易さはないものの、様々な場所に設置することが可能となり、すなわち利用範囲が広がるという利点がある。
【００５１】
（実施形態２）
本願発明の冷暖房装置の第２の実施形態について、冷暖房パネルを例として説明する。なお本実施形態は、ヒーター管を２重管形式とした場合を説明するためのものであって、本実施形態に記さない基本的構成や機能などは実施形態１と共通する。また、実施形態１で記載した一部の技術と本実施形態の技術を組み合わせたものも、本願発明の技術範囲に属する。
【００５２】
図１２に示すように、本実施形態のヒーター管４は、半導体ヒーター３と、これを内挿する内部収容管１２と、さらに複数の内部収容管１２を収容する外部収容管６で構成される。この内部収容管１２は熱伝導率の高い材質のものがより好ましく、たとえばアルミ製などの金属製の管が好適である。内部収容管１２は半導体ヒーター３を収容できる内空面積が必要であり、例えば半導体ヒーター３の外径が８ｍｍの場合、内部収容管１２の内径は１０ｍｍ程度が必要である。図１２では、内部収容管１２に１本の半導体ヒーター３を挿入しているが、これに限らず内径の大きい内部収容管１２の中に複数の半導体ヒーター３を挿入することもできる。
【００５３】
半導体ヒーター３が内挿された内部収容管１２は、さらに金属製の外部収容管６の内部に収容されている。この場合、半導体ヒーター３が内挿された内部収容管１２を２本以上（図１２では３本）外部収容管６内に収容すると、後に説明するように外部収容管６内での蓄熱効果が飛躍的に向上する。この外部収容管６には、汎用的な一般構造用炭素鋼管（通称、単管パイプ）の利用が可能で、汎用品を使うことで製品コストを抑えることができる。一般的な単管パイプの内径は４３．８ｍｍ（外径４８．６ｍｍ）であり、アルミ製の内部収容管１２（外径１２ｍｍ）３本を十分収容することができる。なお、外部収容管６として熱伝導率の高い例えばアルミ製の管を用いると、製品のコストは上がるものの熱伝搬効率が向上し、より性能の高いヒーター管４とすることもできる。
【００５４】
図１３（ａ）に示すように、複数の内部収容管１２を収容しても、外部収容管６の内部にはなお空隙が残る。この空隙部分には、図１３（ｂ）に示すように熱伝導材１３を充填（中詰め）することができる。これにより半導体ヒーター３からの放熱は、熱伝導材１３を介してより効率的に外部収容管６の外周へ伝達されることが期待できる。この熱伝導材１３は、熱伝導率が高く、かつ外部収容管６内の空隙部の複雑な形状にも追随して変形しうるものが適しており、一例としてアルミ不織布が挙げられる。その他、鉄鋼スラグや、やや高価ではあるがアルミ箔なども熱伝導材１３として用いることができる。
【００５５】
熱伝導材１３は、外部収容管６内部の空隙部に限らず、内部収容管１２内に半導体ヒーター３を挿入した後に残る空隙部分に充填（中詰め）することもできる。特に、半導体ヒーター３の外径に比して内部収容管１２の内径が比較的大きい場合には有効である。
【００５６】
外部収容管６内部には複数の内部収容管１２を収容するため、内部収容管１２の本数分だけ内部収容管１２の挿入作業が生じることとなる。とくに外部収容管６の管長が比較的長いと、この挿入作業を繰り返し行うことは手間や時間がかかり、ひいては製品コストを引き上げる一因となる。あるいは先に挿入した内部収容管１２が撓んだり、折曲がったり、種々変形することによって、後から挿入する内部収容管１２が入りにくいという問題もある。このような場合、図１３（ｃ）に示すように内部収容管１２に保持具１４を取り付けることができる。保持具１４で複数（図では３本）の内部収容管１２を連結することによって、内部収容管１２同士の間隔を維持し（いわゆるスペーサーの機能）、しかも複数の内部収容管１２を束ねた状態にすることができるので、内部収容管１２の挿入作業も１回で完了し、後続の内部収容管１２が挿入し難いといった煩わしさも解消される。
【００５７】
この保持具１４は、内部収容管１２の軸方向に対して間隔をあけて取り付け、樹脂製や金属製などとすることができる。内部収容管１２への取り付けは、保持具１４が金属製の場合は溶接により行い、樹脂製の場合は接着により行い、あるいは取り付け部を環状にして内部収容管１２の周囲を掴むように把持する構造としてもよい。保持具１４を内部収容管１２へ取り付けるにあたっては、その他の従来技術を用いても構わない。前記のとおり、保持具１４は内部収容管１２を外部収容管６内に挿入する前に取り付けることが望ましいが、内部収容管１２を挿入した後に手や治具が届く範囲で保持具１４を取り付けてもよい。
【００５８】
図１４は、本実施形態の冷暖房パネル１を示す平面図である。図１４に示すように、実施形態１と同様、ヒーター管４は、パネル２全体を暖めることができるように、パネル２内を往復するように蛇行配置されている。また、ヒーター管４の両脇には通水管５が１本ずつ隣接配置されている。なお、ヒーター管４と通水管５の配置の組み合わせは、実施形態１で記載したように、図５（ａ）〜（ｃ）など種々の組み合わせとすることができる。
【００５９】
図１４では、半導体ヒーターの一端（図では右橋）に電源接続部９を設け、他端（図では左側）に終端部１０を設けた独立使用可能な冷暖房パネル１としているが、半導体ヒーター３の両端を半導体ヒーター接続部１１である冷暖房パネル１ａとしたり、一条の半導体ヒーター３の一端が半導体ヒーター接続部１１で他端が電源接続部９である冷暖房パネル１ｂとしたり、あるいは一条の半導体ヒーター３の一端が半導体ヒーター接続部１１で他端が終端部１０である冷暖房パネル１とするなど、組合せ使用型の冷暖房パネル１ｃとすることもできる。
【００６０】
また実施形態１と同様、ヒーター管４を天板２ｂ付近に配置して断熱材２ｃ内に埋設することもできるが、図１５（ａ）に示すように天板２ｂに設けられた溝状の収容部７内に収めることもできる。ヒーター管４と通水管５を収容部７内に収める場合には、図１５（ｂ）に示すように収容部７の開放部（パネル２の表面側）をシール材８で封鎖する。
【００６１】
（本実施形態のヒーター管の検証）
本願発明の発明者は、半導体ヒーター３を金属製管内に収容すると蓄熱効果が期待できるという仮説を立て、半導体ヒーター３と金属製の管を種々組み合わせて実験を重ねた。その結果、二重管形式で半導体ヒーター３を収容すると蓄熱効果が発揮され、さらに外部収容管６内に半導体ヒーター３が内挿された内部収容管１２を２本以上収容すると蓄熱効果が飛躍的に高まり、外部収容管６の表面温度上昇が他例に比べ顕著であるという事実を突き止めた。以下、その実証実験について図１６（ａ）〜（ｆ）を用いて説明する。
【００６２】
実験には以下の材料を用いた。
・半導体ヒーター３：４０Ｗ／ｍ、外径８ｍｍ、最高到達温度９０℃（表面温度）
・内部収容管１２：アルミ製、内径は１０ｍｍ（外径１２ｍｍ）
・外部収容管６：一般構造用炭素鋼管、内径は４３．８ｍｍ（外径４８．６ｍｍ）
【００６３】
図１６（ａ）は、１本の半導体ヒーター３を内部収容管１２に挿入することなく、直接外部収容管６に収容したケースである。これをケース１とする。
図１６（ｂ）は、１本の半導体ヒーター３を内部収容管１２に挿入し、これを外部収容管６に収容したケースである。これをケース２とする。
図１６（ｃ）は、１本の半導体ヒーター３を内部収容管１２に挿入し、これを外部収容管６に収容し、さらに外部収容管６の内部の空隙部分に熱伝導材１３としてアルミ不織布を充填（中詰め）したケースである。これをケース３とする。
図１６（ｄ）は、半導体ヒーター３が内挿された内部収容管１２を２本、外部収容管６に収容したケースである。これをケース４とする。
図１６（ｅ）は、半導体ヒーター３が内挿された内部収容管１２を２本、外部収容管６に収容し、さらに外部収容管６の内部の空隙部分に熱伝導材１３としてアルミ不織布を充填（中詰め）したケースである。これをケース５とする。
図１６（ｆ）は、半導体ヒーター３が内挿された内部収容管１２を３本、外部収容管６に収容し、さらに外部収容管６の内部の空隙部分に熱伝導材１３としてアルミ不織布を充填（中詰め）したケースである。これをケース６とする。
【００６４】
常温の実験室内で、上記６ケースそれぞれについて半導体ヒーター３に１００Ｖを印加した。通電後、半導体ヒーター３の表面温度は９０℃になるが、これが如何に熱伝播されるかを調べるため、外部収容管６内部の空隙部分と外部収容管６の表面で温度を計測した。外部収容管６内部の空隙部分を温度計測することで、蓄熱効果の優劣も測ることができる。なお、温度計測はいずれも通電後約５０分後である。以下、表２に結果を示す。
【００６５】
【表２】
2011179738.tif 000004
【００６６】
ケース１の結果をみると、半導体ヒーター３の表面温度は９０℃に達したにもかかわらず、外部収容管６の表面では４５．５℃まで大きく温度が下がっている。これは、半導体ヒーター３から放出された熱が外部収容管６の表面に達するまでに、外部収容管６の内部で大きく失われたものと考えられる。
【００６７】
一方、ケース２の結果をみると、半導体ヒーター３を内部収容管１２に挿入しただけであるにもかかわらず、外部収容管６の表面温度がケース１の４５．５℃よりも５２．３℃と７℃ほど上昇している。特に注目すべきは、外部収容管６の内部が７８．６℃（ケース１）から９２．４℃（ケース２）と著しく上昇している事実である。これは、半導体ヒーター３を内部収容管１２に挿入しさらに外部収容管６で覆った、いわゆる二重管形式にすると蓄熱効果が高まることを示している。
【００６８】
ケース４およびケース５は、２本の内部収容管１２を外部収容管６に収容したケースである。これをみると、外部収容管６の内部、表面ともに、ケース２や３に比べ飛躍的に温度が上昇していることがわかる。これは、ケース２におけるケース１からの温度上昇（外部収容管６内部で７８．６℃→９２．４℃）と比較すると、ケース４におけるケース２からの温度上昇（外部収容管６内部で９２．４℃→１２０．７℃）が極めて顕著であることがわかる。
【００６９】
以上の結果から、外部収容管６の中に、半導体ヒーター３が内挿された内部収容管１２を２本収容すると飛躍的に蓄熱効果が上がることがわかる。なお、ケース４（内部収容管１２を２本）とケース６（内部収容管１２を３本）とを比較しても、外部収容管６内部の温度において大きな変化はみられなかった。言い換えると、外部収容管６に収容される内部収容管１２の本数が多いほど蓄熱効果が上がるわけではなく、内部収容管１２の本数を１本から２本に増加させたときにはじめて劇的に効果が現れる、ということを証明するものである。すなわち蓄熱効果を発揮するためには、半導体ヒーター３が内挿された内部収容管１２を外部収容管６に収容する二重管形式であって、外部収容管６の中には複数の内部収容管１２を収容する、ということが重要な技術要素であることが証明された。
【００７０】
なお、ケース４（アルミ不織布なし）とケース５（アルミ不織布あり）を比較しても、外部収容管６の表面温度において大きな変化はみられなかった。熱導電性の高いアルミ不織布を充填したほうが外部収容管６の表面に熱を伝達しやすいはずであるが、アルミ不織布を充填しないケース４と結果に大差がないということは、ケース４の蓄熱効果がアルミ不織布による熱伝導効果と同等であることを証明するものである。
【００７１】
以上のように、ヒーター管４を２重管形式とすると単管形式に比べ著しく熱伝導効果が向上する。この場合、実施形態１に比べるとヒーター管４の製造手間がかかり、また材料費も上がるが、暖房性能は向上する。ヒーター管４を単管形式とするか、あるいは２重管形式とするかは、利用者の条件に応じて適宜選択することができる。
【００７２】
以上、本実施形態でも、冷暖房装置の実施形態について冷暖房パネル１を例として説明したが、パネル形式に限らず、２重管形式としたヒーター管４と、通水管５を隣接配置した冷暖房装置として利用することもできることは、実施機形態１で述べたとおりである。
【００７３】
（使用例）
本願発明の冷暖房装置及び冷暖房パネルを使用する場合の一例を示す。なお、ここでは床下に冷暖房装置又は冷暖房パネルが設置された例である。
【００７４】
（冬季）
本願発明の冷暖房装置又は冷暖房パネルにおける半導体ヒーター３の電源接続部９をコンセントに接続する。さらにスイッチをＯＮに切り替えて半導体ヒーター３に通電し、半導体ヒーター３から熱が放射されることで、冷暖房装置又は冷暖房パネルが床面を暖める。床面は所定の温度になるとその温度を維持し続けるが、さらに温度を高めたい場合は通水管５に温水を流通させて床面温度を上げる。床面温度を低下させたい場合は、低温の水を流通させて床面温度を下げる。
【００７５】
（夏季）
本願発明の冷暖房装置又は冷暖房パネルにおける半導体ヒーター３の電源接続部９をコンセントから外すか、スイッチをＯＦＦに切り替えて半導体ヒーター３に通電させない。この状態で、通水管５に冷水を流通させて床面を冷却する。床面が冷えすぎた場合は、冷水の流通を止めるか、やや高温の水を流通させて温度調整を図る。
【産業上の利用可能性】
【００７６】
本願発明の冷暖房装置と冷暖房パネルは、家庭用の床冷暖房・壁冷暖房設備として、マンション・ビル・学校・病院・事務所・作業場・屋内遊技場・工場・家畜舎・等々の「床冷暖房・壁冷暖房設備」としての利用をはじめ、融雪装置としての利用のほか、ロードヒーティング用の設備、温室暖房設備、乾燥機としての設備など、様々なケースで応用することができる。
【符号の説明】
【００７７】
１    冷暖房パネル
１ａ  半導体ヒーター両端部が半導体ヒーター接続部である冷暖房パネル
１ｂ  半導体ヒーター端部が半導体ヒーター接続部と電源接続部である冷暖房パネル
１ｃ  半導体ヒーター端部が半導体ヒーター接続部と終端部である冷暖房パネル
２    パネル
２ａ  筺体
２ｂ  天板
２ｃ  断熱材
３    半導体ヒーター
４    ヒーター管
５    通水管
６    外部収容管
７    収容部
８    シール材
９    電源接続部
１０    終端部
１１    半導体ヒーター接続部
１２    内部収容管
１３    熱伝導材
１４    保持具
【図１】
2011179738.tif 000005
【図２】
2011179738.tif 000006
【図３】
2011179738.tif 000007
【図４】
2011179738.tif 000008
【図５】
2011179738.tif 000009
【図６】
2011179738.tif 000010
【図７】
2011179738.tif 000011
【図８】
2011179738.tif 000012
【図９】
2011179738.tif 000013
【図１０】
2011179738.tif 000014
【図１１】
2011179738.tif 000015
【図１２】
2011179738.tif 000016
【図１３】
2011179738.tif 000017
【図１４】
2011179738.tif 000018
【図１５】
2011179738.tif 000019
【図１６】
2011179738.tif 000020